(57)【要約】【課題】より簡単な構造、組み立てやすい構造、より少ない紙資源を用いて有効なカバーを提供する。【解決手段】ティッシュペーパーの取り出し穴を有する天面部、前長手側壁面部、後長手側壁面部、左短手側壁面部および右短手側壁面部を有するティッシュペーパーボックス用カバーにおいて、前長手側壁面部と後長手側壁面部とを結合すべく、それらのうちの一方に設けた結合腕部およびそれらのうちの他方に設けた結合腕受け部と、左短手側壁面部および右短手側壁面部の天面部から遠い側に内方に向けて折り込む舌片を有する。結合腕部にはくびれがあり、結合腕受け部は切込みをもつ。舌片の長さは中央部が長く、端が短い。結合腕部の長さと結合腕受け部の長さとはほぼ同じ。短手側側壁面部の側壁の高さと舌片の長さとの和が、結合腕部の長さと結合腕受け部の長さとの長い方と同程度。【選択図】図１
0003103546.tif 000002
【実用新案登録請求の範囲】
【請求項１】
ティッシュペーパーの取り出し穴を有する天面部、前長手側壁面部、後長手側壁面部、左短手側壁面部および右短手側壁面部を有するティッシュペーパーボックス用カバーにおいて、
前長手側壁面部と後長手側壁面部とを結合すべく、それらのうちの一方に設けた結合腕部およびそれらのうちの他方に設けた結合腕受け部と、
左短手側壁面部および右短手側壁面部の天面部から遠い側に設けた内方に向けて折り込む舌片と
を有するティッシュペーパーボックス用カバー。
【請求項２】
請求項１に記載したティッシュペーパーボックス用カバーであって、前記結合腕部はその先端がくびれを有し、前記結合腕受け部はそのくびれを受け入れ可能な切込みを有するティッシュペーパーボックス用カバー。
【請求項３】
請求項１に記載したティッシュペーパーボックス用カバーであって、前記舌片の長さは中央部が長く、端が短いものであるティッシュペーパーボックス用カバー。
【請求項４】
請求項１に記載したティッシュペーパーボックス用カバーであって、前記結合腕部の長さと前記結合腕受け部の長さとをほぼ同じとすることを特徴とするティッシュペーパーボックス用カバー。
【請求項５】
請求項１に記載したティッシュペーパーボックス用カバーであって、前記短手側側壁面部の側壁の高さと前記舌片の長さとの和が、前記結合腕部の長さと前記結合腕受け部の長さとの長い方と同程度であることを特徴とするティッシュペーパーボックス用カバー。
【考案の詳細な説明】
【技術分野】
【０００１】
本考案は、展開状態からの組み立てが容易なティッシュペーパーボックス用カバーに関するものである。
【背景技術】
【０００２】
ティッシュペーパーボックスは、既成の模様が施されているのが通常であるが、需要者自身が好みのデザインのカバーをつけて使用したいという要望がある。それを満たすために布製、プラスチック製などさまざまなカバーが提案されている。
紙製のものは、印刷がしやすいこと、展開図の状態で印刷し、それを組み立てて用いることができることなどの理由でいくつか提案されている（特許文献１、２）。
【特許文献１】実用新案登録第３０４３３４６号公報
【特許文献２】実用新案登録第３０４４４５９号公報
【考案の開示】
【考案が解決しようとする課題】
【０００３】
解決しようとする問題点は、より簡単な構造、組み立てやすい構造、より少ない紙資源を用いて有効なカバーを提供する点である。
【課題を解決するための手段】
【０００４】
本考案は、ティッシュペーパーの取り出し穴を有する天面部、前長手側壁面部、後長手側壁面部、左短手側壁面部および右短手側壁面部を有するティッシュペーパーボックス用カバーにおいて、前長手側壁面部と後長手側壁面部とを結合すべく、それらのうちの一方に設けた結合腕部およびそれらのうちの他方に設けた結合腕受け部と、左短手側壁面部および右短手側壁面部の天面部から遠い側に設けた内方に向けて折り込む舌片とを有する。
【０００５】
請求項２に記載した考案は、請求項１に記載したティッシュペーパーボックス用カバーであって、前記結合腕部はその先端がくびれを有し、前記結合腕受け部はそのくびれを受け入れ可能な切込みを有するものである。
【０００６】
請求項３に記載した考案は、請求項１に記載したティッシュペーパーボックス用カバーであって、前記舌片の長さは中央部が長く、端が短いものである。
【０００７】
請求項４に記載した考案は、請求項１に記載したティッシュペーパーボックス用カバーであって、前記結合腕部の長さと前記結合腕受け部の長さとをほぼ同じとするものである。
【０００８】
請求項５に記載した考案は、請求項１に記載したティッシュペーパーボックス用カバーであって、前記短手側側壁面部の側壁の高さと前記舌片の長さとの和が、前記結合腕部の長さと前記結合腕受け部の長さとの長い方と同程度であるものである。
【考案の効果】
【０００９】
本考案のティッシュペーパーボックス用カバーは、より少ない紙資源をもちいて作れ、簡単に組み立てられるという利点がある。
【考案を実施するための最良の形態】
【００１０】
以下、図面を参照しつつ、本考案の実施形態を説明する。
【００１１】
まず、図１は、本考案のティッシュペーパーボックス用カバーの展開図である。適当な厚さの紙を用い、表面には適当な図案が印刷されている（図示を省略）。その図案は、商業広告を目的とするものでもよいし、芸術的なものであってもよい。取り出し穴１０１は、天面部１００から切り離しがよういなように、切り込みを設ける。天面部１００と、前長手壁面部１１０、後長手壁面部１２０、左短手壁面部１３０、右短手壁面部１４０とは切り離さずに連続する。前長手壁面部１１０と、結合腕部１１１および結合腕受け部１１２とも切り離さずに連続する。後長手壁面部１２０と、結合腕部１２１および結合腕受け部１２２も同様に連続する。
【００１２】
図１のほかの線は切り離して、組み立てる。図２、図３、図４は、組み立て図である。図２は、組み立ての最初の段階を示す図である。取り出し穴１０１を天面部１００から抜き取る。前長手壁面部１１０および後長手壁面部１２０を折り、結合腕部１１１、結合腕受け部１２２をそれぞれ、前長手壁面部１１０および後長手壁面部１２０に対して折り、くびれ１１３を切り込み１２４に差し込む。すると、それらが結合され、前長手壁面部１１０、後長手壁面部１２０に対して垂直な面を構成する。
【００１３】
図３は、組み立ての二番目の段階を示す図である。左短手壁面部１３０を折り、さらに舌片１３１を折り込んで、内方に向ける。右短手壁面部１４０の側も同様にする。図４は、組み立てた後にティッシュボックスにかぶせる段階を示す図である。図４では、わかりやすくするために、左短手壁面部１３０が透明であるかのように描いてある。
【００１４】
このカバーの寸法は、一般的なティッシュボックスにちょうどすっぽりはめ込むサイズに作られるのが好ましい。
【産業上の利用可能性】
【００１５】
紙、インクなどの省資源をはかり、豊富な種類の模様、デザインのカバーを提供できる。
【図面の簡単な説明】
【００１６】
【図１】本考案のティッシュペーパーボックス用カバーの展開図である。
【図２】組み立ての最初の段階を示す図である。
【図３】組み立ての二番目の段階を示す図である。
【図４】組み立てた後にティッシュボックスにかぶせる段階を示す図である。
【符号の説明】
【００１７】
１００  天面部
１０１  取り出し穴
１１０  前長手壁面部
１１１，１２１  結合腕部
１１２，１２２  結合腕受け部
１１３，１２３  くびれ
１１４，１２４  切り込み
１２０  後長手壁面部
１３０  左短手壁面部
１３１，１４１  舌片
１４０  右短手壁面部
【図１】
0003103546.tif 000003
【図２】
0003103546.tif 000004
【図３】
0003103546.tif 000005
【図４】
0003103546.tif 000006
【手続補正書】
【提出日】平成16年2月19日(2004.2.19)
【手続補正１】
【補正対象書類名】明細書
【補正対象項目名】００１３
【補正方法】変更
【補正の内容】
【００１３】
図３は、組み立ての二番目の段階を示す図である。左短手壁面部１３０を折り、さらに舌片１３１を折り込んで、内方に向ける。右短手壁面部１４０の側も同様にする。図４は、組み立てた後にティッシュボックスにかぶせる段階を示す図である。図３では、わかりやすくするために、左短手壁面部１３０が透明であるかのように描いてある。